(57)【要約】【課題】部品点数が少なく、表示板を取付台板に所定間隔を隔てて、強固に、かつ容易に固定保持させることができる表示板の取付け構造を提供する。【解決手段】前記所定間隔に等しい高さを有する円筒状のスペーサ胴部１４の上端に、案内支持部１５が突設され、スペーサ胴部１４の上端面に係止段部１６が形成されており、ねじ孔１７が貫通して設けられていると共に、スペーサ胴部１４の下端面部分に大径の凹部１８が設けられている本体金具１１と、取付台板５に設けた取付孔６に挿通し、スペーサ胴部１４の下端側からねじ孔１７に螺合して、取付台板５に本体金具１１を固定保持する皿ねじ１２と、表示板（表札）１に設けた支持孔４を案内支持部１５に嵌め合わせて表示板１を係止段部１６に係止させた状態で、案内支持部１５の上端側からねじ孔１７に螺合してその頭部３１で表示板１を押圧して本体金具１１に固定保持する固定ねじ１３との３つの部品で構成されている。【選択図】図２
2010224073.tif 000002
【特許請求の範囲】
【請求項１】
合成樹脂製の表示板を金属薄板からなる取付台板に所定間隔を隔てて取付け固定する表示板の取付け構造であって、
前記所定間隔に等しい高さを有する円筒状のスペーサ胴部の上端に、該スペーサ胴部より小径の案内支持部が突設され、該案内支持部の外側の前記スペーサ胴部の上端面に係止段部が形成されており、かつ、中心部分にねじ孔が貫通して設けられていると共に、前記スペーサ胴部の下端面部分に大径の凹部が設けられている本体金具と、
前記取付台板に設けた取付孔に挿通し、前記スペーサ胴部の下端側から前記ねじ孔に螺合して、前記取付台板に前記本体金具を固定保持する皿ねじと、
前記表示板に設けた支持孔を前記案内支持部に嵌め合わせて前記表示板を前記係止段部に係止させた状態で、前記案内支持部の上端側から前記ねじ孔に螺合してその頭部で前記表示板を押圧して前記本体金具に固定保持する固定ねじとから成り、
前記取付台板に設ける前記取付孔は、前記皿ねじの皿頭の外径より僅かに小径で、かつ、内周面が前記皿頭の傾斜側面とほぼ同一の傾斜角を有するテーパ面に形成されていて、前記取付孔に挿通した前記皿ねじを前記ねじ孔に螺合して締め付けたとき、前記皿頭が前記取付孔の前記テーパ面に押圧すると共に、前記本体金具の前記凹部に沈み込み、該皿頭の表面が前記取付台板の裏面とほぼ面一になった姿勢で前記本体金具を前記取付台板に固定保持する構成とし、
一方、前記案内支持部の高さは、前記表示板の厚みより低く設定されていて、前記固定ねじを前記案内支持部の上端側から前記ねじ孔に螺合して締め付けたとき、該固定ねじの前記頭部で前記表示板の表面を押圧し、前記本体金具の前記係止段部とで前記表示板を挟み付けるように固定保持する構成とすることを特徴とする表示板の取付け構造。
【請求項２】
前記本体金具の前記スペーサ胴部の下端面部分に設ける前記凹部が、前記皿ねじの皿頭の外径より大径で、かつ、前記皿頭の傾斜側面とほぼ同一の傾斜角を有する円錐状凹部に形成されていることを特徴とする請求項１記載の表示板の取付け構造。
【請求項３】
前記表示板が、アクリル樹脂材の透明板で構成されていることを特徴とする請求項１又は２記載の表示板の取付け構造。
【請求項４】
前記取付台板が、ステンレス鋼板の薄板である請求項１、２又は３記載の表示板の取付け構造。
【請求項５】
前記固定ねじの前記頭部が、装飾機能を具備した形状であることを特徴とする請求項１ないし４のいずれかに記載の表示板の取付け構造。
【発明の詳細な説明】
【技術分野】
【０００１】
本発明は、アクリル樹脂材その他の合成樹脂製の表示板を金属薄板からなる取付台板に所定間隔を隔てて取付け固定する表示板の取付け構造に関するものである。
【背景技術】
【０００２】
例えば、アクリル樹脂材の透明板の裏面に氏名などをレーザ加工により彫刻して、彫刻した凹部に塗料を塗布して表札とし、該表札を金属薄板（ステンレス鋼板）の取付台板に所定間隔（約１０ｍｍ）を隔てて取付け固定したものは知られている。このような表札は、取付台板を門柱、扉板、壁板等に接着して使用されるものである。
【０００３】
このような表札（表示板）を金属薄板からなる取付台板に所定間隔を隔てて取付け固定する手段として、表示板と取付台板との間にスペーサを設け、該スペーサを介してボルト、ナット等のねじ金具により取付け固定する構造が採用されている。しかし、従来の取付け構造では、スペーサを含めて取付金具の部品点数が多く、取付け作業に手間を要するのみならず、コスト高になっていた。また、部品点数が多いために各部品間にがた付きを生じ易いという問題があった。さらに、取付台板の裏面に取付金具の一部分が突出して、該取付台板の接着作業に支障を来たすという不都合もあった。
【発明の概要】
【発明が解決しようとする課題】
【０００４】
本発明の課題は、上記従来の問題点を解決したもので、部品点数が少なく、表示板を取付台板に所定間隔を隔てて強固に、かつ容易に固定保持させることができる表示板の取付け構造を提供することにある。
【課題を解決するための手段】
【０００５】
上記の課題を達成するために、本発明は、合成樹脂製の表示板を金属薄板からなる取付台板に所定間隔を隔てて、取付け固定する表示板の取付け構造であって、前記所定間隔に等しい高さを有する円筒状のスペーサ胴部の上端に、該スペーサ胴部より小径の案内支持部が突設され、該案内支持部の外側の前記スペーサ胴部の上端面に係止段部が形成されており、かつ、中心部分にねじ孔が貫通して設けられていると共に、前記スペーサ胴部の下端面部分に大径の凹部が設けられている本体金具と、前記取付台板に設けた取付孔に挿通し、前記スペーサ胴部の下端側から前記ねじ孔に螺合して、前記取付台板に前記本体金具を固定保持する皿ねじと、前記表示板に設けた支持孔を前記案内支持部に嵌め合わせて前記表示板を前記係止段部に係止させた状態で、前記案内支持部の上端側から前記ねじ孔に螺合してその頭部で前記表示板を押圧して前記本体金具に固定保持する固定ねじとから成り、前記取付台板に設ける前記取付孔は、前記皿ねじの皿頭の外径より僅かに小径で、かつ、その内周面が前記皿頭の傾斜側面とほぼ同一の傾斜角を有するテーパ面に形成されていて、前記取付孔に挿通した前記皿ねじを前記ねじ孔に螺合して締め付けたとき、前記皿頭が前記取付孔の前記テーパ面に押圧すると共に、前記本体金具の前記凹部に沈み込み、該皿頭の表面が前記取付台板の裏面とほぼ面一になった姿勢で前記本体金具を前記取付台板に固定保持する構成とし、一方、前記案内支持部の高さは、前記表示板の厚みより低く設定されていて、前記固定ねじを前記案内支持部の上端側から前記ねじ孔に螺合して締め付けたとき、該固定ねじの前記頭部で前記表示板の表面を押圧し、前記本体金具の前記係止段部とで前記表示板を挟み付けるように固定保持する構成とすることを特徴とする。
【０００６】
前記スペーサ胴部の下端面部分に設ける前記凹部は、前記皿ねじの皿頭の外径より大径で、かつ、前記皿頭の傾斜側面とほぼ同一の傾斜角を有する円錐状凹部を座ぐり加工することにより形成される。
【０００７】
前記表示板は、具体的にはアクリル樹脂材の透明板で構成される。
【０００８】
前記取付台板は、具体的にはステンレス鋼板の薄板で構成される。
【０００９】
また、前記固定ねじの前記頭部は、前記表示板の表面に突出するので、装飾機能を有する形状とすることが望ましい。
【発明の効果】
【００１０】
以上説明したように。本発明の取付け構造は、前記表示板と前記取付台板との間に設ける所定間隔に等しい高さを有する円筒状の前記スペーサ胴部の上端に前記案内支持部が突設され、かつ、中心部分にねじ孔が貫通して設けられている前記本体金具と、前記取付台板に設けた取付孔に挿通し、前記スペーサ胴部の下端側から前記ねじ孔に螺合する前記皿ねじと、前記表示板に設けた支持孔を前記案内支持部に嵌め合わせて前記表示板を前記スペーサ胴部の上端に形成される係止段部に係止させた状態で、前記案内支持部の上端側から前記ねじ孔に螺合する前記固定ねじとの３つの部品だけで、前記表示板を前記取付台板に所定間隔を隔てて強固に、かつ、容易に固定保持させることができる。しかも、部品点数が少ないので、コストの削減を図ることができる。
【００１１】
また、前記皿ねじを前記ねじ孔に螺合して締め付けたとき、前記皿頭が前記本体金具の前記凹部に沈み込み、該皿頭の表面が前記取付台板の裏面とほぼ面一になるので、前記取付台板を門柱、扉板、壁板などの被取付面に接着する際に邪魔にならない。しかも、前記皿頭が前記本体金具の前記凹部に沈み込む際に、該皿頭の傾斜側面が前記取付台板の取付孔の前記テーパ面に押圧すると共に、前記本体金具の下端面が前記取付台板に押し付けられるので、前記取付台板に対して前記本体金具が一層強固に、かつ確実に固定保持され、がた付くおそれがない。
【００１２】
さらに、前記案内支持部の高さが、前記表示板の厚みより若干低く設定されていて、前記固定ねじを前記案内支持部の上端側から前記ねじ孔に螺合して締め付けたとき、該固定ねじの頭部で前記表示板の表面（上面）を押圧し、前記本体金具の前記係止段部とで前記表示板を挟み付けて固定保持する構成であるから、前記表示板が前記本体金具に強固に、かつ確実に固定保持され、がた付くおそれが少ない。
【図面の簡単な説明】
【００１３】
【図１】本発明を表札の取付け構造に適用した実施例を示す平面図である。
【図２】図１の２−２線に沿う拡大断面図である。
【図３】同上本体金具の正面図である。
【図４】同上取付台板に設けた取付孔に皿ねじを挿通し、前記本体金具のスペーサ胴部の下端側からねじ孔に螺合して締付ける前の状態を示す要部拡大断面図である。
【図５】前記ねじ孔に螺合した前記皿ねじを締付けて、前記本体金具を前記取付台板に固定保持した状態を示す要部拡大断面図である。
【図６】同上表示板に設けた支持通孔を前記本体金具の案内支持部に嵌め合わせた状態を示す要部拡大断面図である。
【発明を実施するための形態】
【００１４】
以下、本発明の実施の形態を図面に基づいて説明する。
【００１５】
図１は本発明を表札の取付け構造として実施した例を示している。表札１はアクリル樹脂材の透明板で製作されていて、具体的には厚み約５ｍｍのアクリル樹脂製透明板により一辺約１１ｃｍの正方形に形成され、該四角形の透明板の裏面にリーザ加工により氏名の文字２を彫刻して、彫刻された文字２の凹部に水性塗料を塗布して表札１としたものであり、表札１の四面は面取り加工したカット面３が設けられている。該表札１は、図２に示されているように、金属薄板からなる取付台板５に取付金具１０を介して所定間隔Ｋを隔てて取付け固定される。このため、表札１の四隅には取付金具１０に嵌め合わせる支持孔４が設けられている。
【００１６】
取付台板５は、ステンレス鋼板の薄板（厚み約１．０ｍｍ）で表札１より若干大きい正方形に形成されている。該取付台板５の四隅には取付金具１０の取付孔６が設けられている（図２、図４参照）。該取付孔６は打ち抜き加工したのち、皿もみ加工して、図４に示すように、取付孔６の内周面が後述する皿ねじ１２の皿頭２１の傾斜側面２２とほぼ同一の傾斜角（軸線に対して４５°）を有するテーパ面７に形成されている。
【００１７】
取付金具１０は、図２ないし図５に示されているように、本体金具１１と、該本体金具１１にねじ嵌合される皿ねじ１２及び固定ねじ１３の３つの部品により構成されている。本体金具１１は、前記所定間隔Ｋに等しい高さを有する円筒状のスペーサ胴部１４の上端に、該スペーサ胴部１４より小径の案内支持部１５が突設されていて、該案内支持部１５の外側のスペーサ胴部１４の上端面に係止段部１６が形成されている。また、本体金具１１の中心部分にねじ孔１７が貫通して設けられ、スペーサ胴部１４の下端面部分に大径の凹部１８が設けられている。該凹部１８は、後述する皿ねじ１２の皿頭２１の外径より大径で、かつ、皿頭２１の傾斜側面２２とほぼ同一の傾斜角（軸線に対して４５°）を有する円錐状凹部を座ぐり加工して形成されている。一方、図６に良く示されているように、本体金具１１の案内支持部１５の高さＨは、表札１の厚みＣより僅かに低く設定されている。
【００１８】
皿ねじ１２は、本体金具１１のねじ孔１７に螺合するねじ軸２０の端部に皿頭２１が連設されていて、図４に示されているように、該皿頭２１の外径Ａは、取付台板５に設けた取付孔６の孔径Ｂより僅かに大きく設定されている。また、皿頭２１の傾斜側面２２は、軸線に対して４５°傾斜した円錐面に形成されている。
【００１９】
固定ねじ１３は、本体金具１０のねじ孔１７に螺合するねじ軸３０の端部に掴みを兼ねる大きな円柱状の頭部３１が連設されている（図２参照）。なお、頭部３１の形状は装飾機能を持たせるため種々の形状とすることが可能である。
【００２０】
上記した取付金具１０の本体金具１１、皿ねじ１２及び固定ねじ１３は、耐候性を考慮して、真兪製でニッケル鍍金又はニッケル・クロム鍍金したものとする。
【００２１】
上記の構成により、図４に示すように、取付台板５の裏側から取付孔６に挿通した皿ねじ１２のねじ軸２０を本体金具１１のスペーサ胴部１４の下端側からねじ孔１７に螺合して締め付けると、図２及び図５に示すように、皿頭２１が凹部１８に沈み込み、皿頭２１の表面が取付台板５の裏面とほぼ面一又は若干沈み込んだ状態で取付台板５に固定される。しかも、皿頭２１が凹部１８に沈み込む際、図４及び図５に良く示されているように、皿頭２１の傾斜側面２２が取付孔６のテーパ面７に押圧すると共に、傾斜側面２２と凹部１８の内側面との間に隙間２３が形成されることで、本体金具１１の下端面１９が取付台板５に押し付けられて密着するので、取付台板５に対して本体金具１１が強固に、かつ確実に固定保持され、がた付くおそれがない。
【００２２】
上記のようにして、４つの本体金具１１が取付台板５の四隅に固定保持されると、表札１の四隅に設けた支持孔４を各本体金具１１の案内支持部１５に嵌め合わせて、表札１をスペーサ胴部１４の上端の係止段部１６に当接支持させる。この状態で、固定ねじ１３のねじ軸３０を案内支持部１５の上端側からねじ孔１７に螺合して締め付ける。このとき、案内支持部１５の上端面が表札１の表面より若干沈み込んで位置しているので、締め付けた固定ねじ１３の頭部３０が表札１の表面（上面）を直接押圧し、本体金具１１のスペーサ胴部１４の係止段部１６とで表札１を挟み付けて、表札１が本体金具１１に固定保持される。したがって、表札１は取付台板５に所定間隔Ｋを隔てて強固に、かつ確実に取付け固定される。しかも、前述のように皿ねじ１２の皿頭２１が本体金具１１の凹部１８に沈み込み、取付台板５の裏面に突出しないので、取付台板５を門柱、扉板、壁板等の被取付面に接着する際に支障となるおそれがないものである。
【産業上の利用可能性】
【００２３】
本発明の取付け構造は、特にアクリル樹脂製の表札（表示板）を金属薄板からなる取付台板に所定間隔を隔てて取付け固定するのに好適である。
【符号の説明】
【００２４】
１  表札
２  氏名の文字
４  支持孔
５  取付台板
６  取付孔
７  テーパ面
１０  取付金具
１１  本体金具
１２  皿ねじ
１３  固定ねじ
１４  スペーサ胴部
１５  案内支持部
１６  係止段部
１７  ねじ孔
１８  凹部
１９  下端面
２０  ねじ軸
２１  皿頭
２２  傾斜側面
２３  隙間
３０  ねじ軸
３１  頭部
【図１】
2010224073.tif 000003
【図２】
2010224073.tif 000004
【図３】
2010224073.tif 000005
【図４】
2010224073.tif 000006
【図５】
2010224073.tif 000007
【図６】
2010224073.tif 000008